(57)【要約】【課題】  ストローを使用することなく安価、かつ、容易にスティックバルーン等を膨らませることができ、プラスチック製のストローを用いないことで環境汚染問題も回避することをできるようにする。【解決手段】  ２枚のフィルム３ａ、３ｂが重ね構造である逆止弁２を備え、その逆止弁２を通して気体を充填することで膨らむ袋体１であり、逆止弁２の気体導入部９が、袋体本体４から２枚のフィルム３ａ、３ｂが重ね構造において外部へ広い巾において大きい距離で突出するとともに、その突出部分において２枚の重ね構造のフィルム３ａ、３ｂが開き、唇を合わせて口から気体を吹き込むことで膨らむもの。【選択図】図２
2020066465.tif 000002
【特許請求の範囲】
【請求項１】
２枚のフィルムの重ね構造で内部に気体導入路を有する逆止弁を備え、その逆止弁を通して気体を充填することで膨らむ袋体であり、
前記逆止弁の気体導入部が、袋体本体から前記２枚のフィルムが重ね構造において外部へ広い巾において大きい距離で突出するとともに、その突出部分において前記２枚の重ね構造のフィルムが開き、
前記開かれた前記気体導入部に唇を合わせて口から気体を吹き込むことで膨らむことを特徴とする袋体。
【請求項２】
前記突出距離を１．５〜４．０ｃｍ、前記幅を２．５〜６．０ｃｍとする請求項２記載の袋体
【請求項３】
前記逆止弁の前記気体導入路における気体を吹き込む側が、外方に向かってロート形状に広がり、そのロート形状位置に前記口から気体を吹き込む際の気体導入隙間が許容される範囲内の大きさで形成されている請求項１または２記載の袋体。
【請求項４】
請求項１または２または３記載の袋体よりなるスティックバルーン。
【発明の詳細な説明】
【技術分野】
【０００１】  この発明は、応援用具として用いられるスティックバルーン等の袋体の気体導入構造に関する。
【背景技術】
【０００２】  各種運動競技の応援に際し、気体が充填されることで棒状に膨らむスティックバルーンが広く用いられている。このスティックバルーンは競技会場等で空気が充填されていない状態でストローとともに販売され、購入者がストローを逆止弁から挿し入れて口から空気を吹き込むことで膨らませ使用している。一方、最近ではプラスチックス製のストローが環境汚染の原因となることが大きな問題として取り上げられており、紙製のストロー使用が提案されているが、コストが非常に高くなる。
【発明の概念】
【発明が解決しようとする課題】
【０００３】  この発明では、ストローを使用することなく容易に口で膨らませることが可能なスティックバルーン等の袋体を提供することを目的とする。
【課題を解決するための手段】
【０００４】この発明では、２枚のフィルムの重ね構造で内部に気体導入路を有する逆止弁を備え、その逆止弁を通して気体を充填することで膨らむ袋体であり、前記逆止弁の気体導入部が、袋体本体から前記２枚のフィルムが重ね構造において外部へ広い巾において大きい距離で突出するとともに、その突出部分において前記２枚の重ね構造のフィルムが開き、前記開かれた前記気体導入部に唇を合わせて口から気体を吹き込むことで膨らむことを特徴とする袋体を提供する。
【０００５】  上記構成によれば、逆止弁の気体導入部が２枚のフィルムが重ね構造で広い巾において大きい距離で袋体本体から外方に突出し、その突出部分において２枚の重ね構造のフィルムが開くので、気体導入部を両手の指で持って開くことが容易に行われるとともに、大きく開かれた気体導入部がほぼ唇に沿う状態となり、これにより気体導入が口から空気を吹き込むことで、容易に、かつ、確実に行われる。
【０００６】  気体導入部は、突出距離を１．５〜４．０ｃｍ、幅を２．５〜６．０ｃｍとする大きさとすることが好ましい。気体導入部の突出距離が１．５ｃｍより短く、幅が２．５ｃｍより小さいと、開いた際に唇に十分に沿わず、突出距離が４．０ｃｍ超え、また、幅が６．０ｃｍを超えて気体導入部が大きくなると、唇に安定して沿いにくくなって気体導入が難しくなり、また見栄えも良くない。
【０００７】  逆止弁の気体導入路における気体を吹き込む側が、外方に向かってロート形状に広がり、そのロート形状位置に口から気体を吹き込む際の気体導入隙間が許容される範囲内の大きさで形成されていることで、気体導入隙間は許容される範囲で端部側より大きくされる。
【０００８】  この発明の袋体は、逆止弁にストローを通して気体を充填するする各種袋体として適宜使用され、とくに、スティックバルーンとして好適に使用される。
【発明の効果】
【０００９】  この発明によれば、ストローを使用することなく安価に、かつ、容易にスティックバルーン等を膨らませることができるようになり、また、プラスチック製のストローを用いないことで環境汚染問題も回避できる。
【図面の簡単な説明】
【００１０】
【図１】  この発明のスティックバルーンの実施形態の平面図
【図２】  この発明のスティックバルーンに使用される逆止弁の実施形態の平面図
【図３】  この発明のスティックバルーンの実施形態の使用説明図
【発明を実施するための形態】
【００１１】  図１はこの発明のスティックバルーンの平面図、図２は逆止弁の平面図である。スティックバルーン（袋体）１はバルーン本体（袋体本体）４の一端側に逆止弁２が密封状態に取り付けられて構成されている。バルーン本体４の表面には装飾模様や応援表示が適宜付される。
【００１２】  逆止弁２は２枚の透明プラスチックス製フィルム３ａ、３ｂの重ね構造で、両縁部がシヒートシール５されることで内部を気体導入路７とし、一端部にバルーン本体４から突出して位置する気体導入部９が設けられている。逆止弁２はその長さＬ１が１５ｃｍで、一端側から中央部までの巾Ｗ１が２ｃｍと細く、中央部からロート状に広がり他端側の気体導部９の巾Ｗ２は４ｃｍと大きくなっている。
【００１３】  気体導入部９はその長さＬ２を２．５ｃｍとし、フィルム３ａ、３ｂよりなる気体導入片１０、１１の重ね構造で、それらの両縁部１２はともにヒートシール５されず離れている。気体導入片１０は気体導入片１１よりその長さが５ｍｍ短く、その端縁には帯状のマーク１３が付されている。気体導入片１１にはロート形状の溶着阻止印刷１５が付されており、バルーン本体４に挿し入れられて熱溶着１７により取り付けられる際、溶着阻止印刷１５の存在する部分が通気路１８となる。
【００１４】  上記構成の気体導入部９における気体の導入方法を、図３を参照して説明する。両手の指２０それぞれで気体導入片１０、１１を持って両側に大きく広げることで気体導入隙間１６を作り、そこに唇を直交するように合わせて口から強く空気を吹きこむことでスティックバルーン１を膨らませる。上記気体導入隙間１６の長さＬ３は２．５ｃｍとされている。空気を吹き込むにはＬ３は気体導部９の巾Ｗ２である４ｃｍとほぼ等しく大きく形成される方が好ましいが、大きすぎると空気を吹き込んで膨らませた際、バルーン本体４の弁の先端側が内部空気圧により空気導入隙間１６から外方に飛び出す問題がある。したがって、溶着阻止印刷１５をロート形状に広がる形状とし、その広がる位置を熱溶着１７することで、気体導入隙間１６の長さＬ３は許容される範囲で端部側より大きくされている。
【００１５】  上記において、気体導入片１０、１１それぞれにより構成される気体導入部９がバルーン本体から４ｃｍの巾で２．５ｃｍ突出する大きな形態であり、その気体導入片１０、１１の両縁部１２がヒートシール５されず離れていることで、両手の指２０で気体導入片１０、１１の開き動作が容易に行われる。さらに、唇が大きく開かれた気体導入片１０、１１に沿う状態となって空気導入隙間１６を覆う状態となり、これにより気体導入が容易に、かつ、確実に行われる。また指による気体導入片１０、１１の開き動作も、気体導入片１０の帯状のマーク１３を目安として容易になされる。
【符号の説明】
【００１６】１    スティックバルーン（袋体）
２    逆止弁
３ａ  フィルム
３ｂ  フィルム
７    気体導入路
４    バルーン本体（袋体本体）
９    気体導入部
【図１】
2020066465.tif 000003
【図２】
2020066465.tif 000004
【図３】
2020066465.tif 000005